(57)【要約】【課題】車両前部のエンジンルーム１内のエンジン２の燃料供給装置において、該エンジン２のインジェクタ２３に燃料を分配する分配管８の脈動減衰機能を高く維持しつつ、安全性を確保する。【解決手段】車両前部のエンジンルーム１にエンジン２を縦置きに配置する。該エンジン２の気筒列方向と略平行に分配管８をエンジン２に配設する。該分配管８は分配管８内の燃料の脈動を減衰させる減衰壁８１ｂ、８１ｄを有し、この減衰壁８１ｂに燃料供給接続部８４を配設する。該燃料供給接続部８４は、該減衰壁８１ｂの長手方向の中央と前端との間に配置されている。【選択図】図２
2005201124.tif 000002
【特許請求の範囲】
【請求項１】
車両前部のエンジンルームに多気筒のエンジンを縦置きに配設する車両におけるエンジンの燃料供給装置であって、
上記エンジンの各気筒の吸気通路それぞれに設けられて、車両前後方向に列状に配置された複数の燃料噴射用インジェクタと、
車両前後方向に延びて配設されて、上記各インジェクタに燃料を分配するリターンレスタイプの分配管と、を備え、
上記エンジンは、該エンジンの重心位置が上記車両の前輪の車軸中心位置よりも車両後方に位置するように配置され、
上記分配管は、
その側壁の少なくとも１つが、可撓性によって該分配管内の燃料の脈動を減衰させる減衰壁であって、
上記減衰壁以外の側壁に設けられて、上記各インジェクタに嵌着する複数の分岐嵌着部と、上記減衰壁の車両前後方向の中央と前端との間の位置に設けられた燃料供給接続部と、を有することを特徴とする車両におけるエンジンの燃料供給装置。
【請求項２】
請求項１に記載の車両におけるエンジンの燃料供給装置において、
上記エンジンルームの後端に配設され、車幅方向の中央部分が車両前後方向の後側に窪んだ凹部を有するダッシュパネルをさらに備え、
上記エンジンの後端部は、上記凹部内に位置することを特徴とする車両におけるエンジンの燃料供給装置。
【請求項３】
請求項１又は請求項２に記載の車両におけるエンジンの燃料供給装置において、
上記燃料供給接続部は、上記減衰壁の車両前後方向において、隣接する２つの上記分岐嵌着部の間の位置に設けられることを特徴とする車両におけるエンジンの燃料供給装置。
【請求項４】
請求項３に記載の車両におけるエンジンの燃料供給装置において、
上記エンジンは直列４気筒であって、
上記燃料供給接続部は、上記減衰壁において車両前後方向の前から１番目の第１気筒用分岐嵌着部と２番目の第２気筒用分岐嵌着部との間の位置に設けられることを特徴とする車両におけるエンジンの燃料供給装置。
【請求項５】
請求項１乃至請求項４の何れか１つに記載の車両におけるエンジンの燃料供給装置において、
上記車両に固定された供給管と、
一端部が上記燃料供給接続部と接続される一方、他端部が上記供給管と接続される燃料供給ホースと、をさらに備え、
上記燃料供給ホースの中間部は、Ｓ字状に湾曲配置されることを特徴とする車両におけるエンジンの燃料供給装置。
【発明の詳細な説明】
【技術分野】
【０００１】
本発明は、車両におけるエンジンの燃料供給装置に関するものである。
【背景技術】
【０００２】
近年、車両におけるエンジンの燃料供給装置として、電子制御式燃料供給装置が一般的になってきている。そして、かかる燃料供給装置として、各気筒の燃料噴射弁に燃料を分配する分配管がエンジン側方に配設され、燃料タンクからこの分配管に燃料を導く燃料供給ホースの接続部が、分配管の端部に設けられているものがある。
【０００３】
その一例として特許文献１がある。この特許文献１に記載の発明では、車両のパワートレン形式として、縦置きエンジンによる、いわゆるＦＲ形式が採用されている。そして、上記分配管はエンジンに沿って車両の前後方向に配設されており、上記接続部は該分配管の後端に設けられている。
【０００４】
また一方で、近年の低圧燃料噴射装置では、インジェクタの開閉に伴う分配管内での燃料の脈動に基づく振動騒音が問題となっている。そして、この問題を解決するために、分配管の１つの側壁を可撓性を有する減衰壁とし、燃料の脈動をその減衰壁の弾性変位で減衰させる構造が特許文献２により開示されている。
【０００５】
この特許文献２によれば、上記燃料供給ホースの接続部は分配管の減衰壁以外の側壁に配設されている。具体的には、上述の脈動を緩衝する作用が最大となる、分配管の側壁の長手方向の略中央部分に上記接続部が設けられている。
【特許文献１】実公平７−４４７４２号公報
【特許文献２】特開２０００−３２９０３０号公報
【発明の開示】
【発明が解決しようとする課題】
【０００６】
ところで、近年、車両における安全性が高いレベルで要求されている。軽衝突時に車両前部を潰して衝撃を緩和する衝突緩和構造を採用した場合、さらには該衝突緩和構造に限らず、ダメージの大きな衝突を受けた場合においても、衝突時等における車両前部のエンジンルーム内での２次災害を確実に防止することが求められている。
【０００７】
車両の衝突時に万が一にもエンジンが後退変位したときは、上記特許文献１に記載の発明のように、接続部を分配管の後端に設けたのでは、上記接続部がダッシュパネルに干渉する虞がある。
【０００８】
また、近年は、車両の小型軽量化が注力され、車両前後の重量バランスを高めるべく、エンジンを車両前部のエンジンルームのできるだけ後側に配置したフロントミッドシップ形式がしばしば見られるが、このフロントミッドシップ形式では、特に上述の接続部がダッシュパネルに干渉し易い。
【０００９】
そこで、燃料供給ホースの接続部を分配管の前端に設けることが考えられるが、この場合は軽衝突時にエンジン前方に配置した機能部品が後退変位して上記接続部が機能部品と干渉する虞がある。
【００１０】
よって、上述した２次災害の予防を図る上では、上記接続部を分配管の側壁に設けることが好ましい。
【００１１】
ところで、この種の分配管は、板金成形によって形状化され、断面形状としては長方形となっており、向かい合う長辺部分が脈動減衰壁となる。また、一方の短辺部分にインジェクタを装着する分岐嵌着部が設けられ、他方の短辺部分にはその周辺のハーネスやチューブ類を支持するブラケットが設けられることが多い。そのため、燃料供給ホースの接続部を分配管の側壁に設けようとすると、脈動減衰壁に配置せざるを得ない場合もある。
【００１２】
しかし、上記接続部を脈動減衰壁に配置する構造において、上記特許文献２に記載の発明のように分配管の長手方向の略中央部分に上記接続部を設けると、脈動減衰壁の可撓性が抑制されて剛性が高まり、緩衝能力が低下する。さらに、該接続部自身の振動が大きくなり、接続部を取り付けている部分の強度的にも不利である。
【００１３】
本発明は、かかる点に鑑みてなされたものであり、その目的とするところは、分配管の脈動減衰機能を高く維持しつつ、安全性を確保することにある。
【課題を解決するための手段】
【００１４】
第１の発明は、車両前部のエンジンルームに多気筒のエンジンを縦置きに配設する車両におけるエンジンの燃料供給装置が対象である。
【００１５】
そして、上記エンジンの各気筒の吸気通路それぞれに設けられて、車両前後方向に列状に配置された複数の燃料噴射用インジェクタと、車両前後方向に延びて配設されて、上記各インジェクタに燃料を分配するリターンレスタイプの分配管と、を備えているものとする。
【００１６】
また、上記エンジンは、該エンジンの重心位置が上記車両の前輪の車軸中心位置よりも車両後方に位置するように配置されている。
【００１７】
さらに、上記分配管は、その側壁の少なくとも１つが、可撓性によって該分配管内の燃料の脈動を減衰させる減衰壁であって、上記減衰壁以外の側壁に設けられて、上記各インジェクタに嵌着する複数の分岐嵌着部と、上記減衰壁の車両前後方向の中央と前端との間の位置に設けられた燃料供給接続部と、を有しているものとする。
【００１８】
上記の構成の場合、上記多気筒のエンジンが、その気筒列方向が車両の前後方向と同一となるように車両前方のエンジンルームに縦置きされる。このとき、該エンジンは、その重心位置が前輪の車軸中心位置よりも車両後方に位置する、いわゆるフロントミッドシップ方式で搭載されている。
【００１９】
そして、上記エンジンには、各気筒の吸気通路毎に設けられたインジェクタに燃料を供給する分配管が、車両前後方向に沿って配設されている。この分配管は、燃料タンクから送られてきた燃料を分配管内に導入し、該分配管から分岐する上記分岐嵌着部を通じて各インジェクタに燃料を分配するものである。そして、この分配管の前端は車両前方を、後端はダッシュパネルが位置する車両の後方を臨むことになる。
【００２０】
そのため、該分配管の前端部は、車両の衝突によって、仮にエンジン前方のエンジン機能部品が後退変位した場合には該エンジン機能部品と干渉する虞がある。一方、該分配管の後端部は、車両の衝突によって上記エンジンが仮に後退変位した場合には上記ダッシュパネルに干渉する虞がある。
【００２１】
そこで、本発明では、燃料タンクから上記分配管に燃料を供給する燃料供給ホースを接続する燃料供給接続部を、該分配管の端部ではなく、側壁の１つである上記減衰壁に設けている。
【００２２】
上記燃料供給接続部を上記減衰壁に設けることによって、エンジンルーム内のハーネスやチューブ類を支持するブラケットを減衰壁ではない分配管の側壁に設けることができる。これによって、上記減衰壁の可撓性が確保されて、該減衰壁の減衰機能を確保することができる。
【００２３】
ところで、上記分配管は、上記インジェクタに燃料を送った後、余分な燃料が燃料タンク側へと戻るための戻り通路を有さないリターンレスタイプのものである。このリターンレスタイプの分配管は、本来は、燃料ポンプやインジェクタのスプールの相手部材との衝突に起因する反射波や脈動圧によって、分配管、燃料配管及びそのクランプ等が振動し、異音を発生するという問題を有する。
【００２４】
そこで、上記分配管の側壁の少なくとも１つを上記脈動を減衰させる減衰壁としているが、この減衰壁は、該減衰壁の可撓性によって分配管内の脈動を減衰させるものであって、該減衰壁の長手方向の略中央付近で壁の撓みが最大、すなわち減衰効果が最大となる。よって、上記燃料供給接続部を該減衰壁の中央付近に配置することは、該減衰壁の可撓性が抑制されて剛性が高くなり、減衰効果が低下するため好ましくない。それとともに、該燃料供給接続部自身の振動が大きくなり、分配管との接合部における強度的にも不利となる。
【００２５】
そこで、本発明では、該減衰壁に上記燃焼供給接続部を設けるにあたって、該燃料供給接続部を上記減衰壁の車両前後方向の中央と前端との間の位置に設ける。このことによって、上述の減衰効果の低下等の問題が解消される。
【００２６】
したがって、上記の構成の場合、車両の衝突時にエンジンルーム内での２次災害を確実に防止することができる。また、上記減衰壁の、燃料噴射に伴う上記分配管内の脈動を減衰させる機能を低下させることもない。
【００２７】
第２の発明は、第１の発明において、上記エンジンルームの後端に配設され、車幅方向の中央部分が車両前後方向の後側に窪んだ凹部を有するダッシュパネルをさらに備え、上記エンジンの後端部は、上記凹部内に位置するものとする。
【００２８】
上記の構成の場合、上記ダッシュパネルに凹部を設け、その凹部に上記エンジンを配設することによって、上記エンジンは、エンジンルーム内のできる限り後方に配設される。      
【００２９】
そのため、上記エンジンの直後にはダッシュパネルが位置することとなり、エンジンが後退変位したときに上記分配管の後端部が該ダッシュパネルと干渉し易い。しかし、上記燃料供給接続部を上記分配管の側壁である上記減衰壁の車両前後方向の中央よりも前側に配置することによって、該燃料供給接続部が上記ダッシュパネルと干渉することを防止することができる。
【００３０】
第３の発明は、第１又は第２の発明において、上記燃料供給接続部は、上記減衰壁の車両前後方向において、隣接する２つの上記分岐嵌着部の間の位置に設けられているものとする。
【００３１】
上記の構成の場合、上記燃料供給接続部と各分岐嵌着部とが前後方向にずれるため、上記インジェクタの開閉等による燃料の反射が上記分岐嵌着部から燃料供給接続部に直接は伝わらない。また、該燃料供給接続部からの燃料が、特定のインジェクタに集中的に供給されることもない。
【００３２】
したがって、燃料タンクからの上記分配管への燃料の供給を安定させるとともに、上記各気筒間の燃料噴射量のばらつきを低減することができる。
【００３３】
第４の発明は、第３の発明において、上記エンジンは直列４気筒であって、上記燃料供給接続部は、上記減衰壁において車両前後方向の前から１番目の第１気筒用分岐嵌着部と２番目の第２気筒用分岐嵌着部との間の位置に設けられているものとする。
【００３４】
上記の構成の場合、直列４気筒エンジンにおいて、上記燃料供給接続部は、上記減衰壁の長手方向の中央ではなく前端部よりではあるが、前端部ではない位置に配設される。  したがって、上記燃料供給接続部は、上記エンジン前方のエンジン機能部品が後退変位しても干渉せず、かつ上記減衰壁の減衰効果を低下させず、かつ各気筒間の燃料噴射量のばらつきを抑えることができる位置に配設される。
【００３５】
第５の発明は、第１乃至第４の何れか１つの発明において、上記車両に固定された供給管と、一端部が上記燃料供給接続部と接続される一方、他端部が上記供給管と接続される燃料供給ホースと、をさらに備え、上記燃料供給ホースの中間部は、Ｓ字状に湾曲配置されているものとする。
【００３６】
上記の構成の場合、上記燃料供給接続部には上記燃料供給ホースの一端部が接続される。この燃料供給ホースは、Ｓ字状に湾曲して配置される。そして、燃料供給ホースの他端部は供給管に接続される。この供給管は上記車両に固定されるとともに、燃料タンクへと通じる。よって、燃料タンクへと通じる供給管から燃料供給ホースを通って、燃料が上記分配管へと供給される。そして、上記供給管と燃料供給接続部とは、ゆとりを持った長さの燃料供給ホースによって接続されている。
【００３７】
したがって、上記エンジンが後退変位した場合であっても、上記燃料供給ホースの長さにはゆとりがあるため、上記燃料供給接続部、ホースと供給管との接続部及びホースには何ら影響がない。
【発明の効果】
【００３８】
本発明のエンジンの燃料供給装置によれば、上記燃料供給接続部を上記分配管の端部ではなく側壁である上記減衰壁に設けられるため、安全性を確保することができる。
【００３９】
また、上記燃料供給接続部は、上記減衰壁であっても、その中央部ではなく中央よりも前側に配設されるため、該減衰壁の減衰機能を高く維持することができる。
【発明を実施するための最良の形態】
【００４０】
以下、本発明の実施形態を図面に基づいて詳細に説明する。
【００４１】
図１は、本発明の実施形態に係る車両におけるエンジンの燃料供給装置を示す。ここで、本実施形態では、説明の便宜のため、車両の前後方向を単に前後方向と、車両の上下方向を単に上下方向と略称する。
【００４２】
１は車両前部に位置するエンジンルーム、２は該エンジンルーム１内に縦置きに配設されたエンジン、４は該エンジン２の前方に配設されたエアクリーナ、６は該エアクリーナ４の右側に配設されたバッテリである。
【００４３】
上記エンジンルーム１の後端には、図１に示すように、車室（図示省略）とエンジンルーム１を区画するダッシュパネル１１が設けられている。このダッシュパネル１１の車幅方向中央にはエンジン配設凹部１１ａが後方に凹設されている。また、このエンジンルーム１内には、車幅方向に所定間隔を有して、前後方向に延びる左右一対のフロントサイドフレーム１５、１５が配設されている。そして、この左右のフロントサイドフレーム１５、１５の外側には前輪９、９用のホイールハウス１８、１８がエンジンルーム１内に突出して設けられている。
【００４４】
上記エンジン２は、図１に示すように、上記左右のフロンサイドフレーム１５、１５との間に配設される。このとき、該エンジン２の後端部は上記ダッシュパネル１１のエンジン配設凹部１１ａに位置するとともに、該エンジン２の重心は前輪９、９の車軸Ｘよりも後方に位置する。このように、エンジン２の重心を前輪９、９の車軸Ｘよりも後方であって、さらに車両前部のエンジンルーム１内の可能な限り後方に配置することによって、フロントミッドシップ形式を実現している。また、上記エンジンルーム１は比較的小さく、上記エンジン２のすぐ前方には、上記エアクリーナ４やバッテリ６等のエンジン機能部品が位置する。
【００４５】
また、このエンジン２は、その長手方向に４つの気筒２１、２１、…が並設された直列４気筒エンジンであって、その気筒列が車両前後方向を向くようにエンジンルーム１内に縦置きにされている。このエンジン２の左側壁には吸気マニホールド２２が配設され、この吸気マニホールド２２は各気筒２１、２１、…に吸気を導入するエンジン２の４つの吸気通路（図示省略）に通じている。また、この各吸気通路には、吸気通路内に燃料を噴射するため、エンジン２の外方からインジェクタ２３が挿設されている。そして、この各インジェクタ２３は、気筒列に沿って列状に配置されている。
【００４６】
そして、燃料タンク（図示省略）から燃料供給ホース１２を介して供給される燃料を上記インジェクタ２３、２３、…に分配する分配管８が、気筒列方向と略平行にエンジン２の側方に配設されている。
【００４７】
上記分配管８は、図２、３に示すように、断面形状が略長方形の筒状の板金プレス成形品である。この分配管８は、長方形の短辺を形成する、幅の狭い下壁８１ａ及び上壁８１ｃと、長方形の長辺を形成する、幅の広い左側壁８１ｂ及び右側壁８１ｄと、端壁８１ｅ、８１ｅから構成されている。
【００４８】
上記下壁８１ａには、前方から順に分岐嵌着部８２ａ、８２ｂ、８２ｃ、８２ｄが上記インジェクタ２３、２３、…に対応する所定の間隔をあけて設けられている。それとともに、第１分岐嵌着部８２ａと第２分岐嵌着部８２ｂとの間、および第３分岐嵌着部８２ｃと第４分岐嵌着部８２ｄとの間には、該分配管８をエンジン２に取り付けるための取付ブラケット８３、８３が配設されている。
【００４９】
上記左側壁８１ｂには、上記燃料供給ホース１２を該分配管８に接続する燃料供給接続部８４が設けられている。具体的に、この燃料供給接続部８４は、前後方向には第１分岐嵌着部８２ａと第２分岐嵌着部８２ｂとの間に対応する位置に、高さ方向にはその高さ方向中央から上方にオフセットした位置に設けられている。
【００５０】
上記右側壁８１ｄには、上記エンジンルーム１内のハーネス１４やチューブ類を支持するための支持ブラケット８５、８５が、該右側壁８１ｄから上壁８１ｃ側に突出するように設けられている。
【００５１】
そして、この分配管８は、図１に示すように、上記分岐嵌着部８２ａ〜８２ｄがインジェクタ２３、２３、…に嵌着するとともに、上記取付ブラケット８３、８３によってエンジン２に取り付けられる。該分配管８は、エンジン２の左上方位置に気筒列と略平行に配設され、その前方にはエアクリーナ４やバッテリ６等のエンジン機能部品が位置し、その後方にはダッシュパネル１１が位置することになる。さらに、エンジンルーム１内のハーネス１４が上記支持ブラケット８５、８５に支持されており、このハーネス１４は、該分配管８の上壁８１ｃのすぐ上方に延設されている。
【００５２】
また、上記分配管８は、燃料が燃料タンクに戻るための戻り管が設けられていないリターンレスタイプである。そのため、上記各インジェクタ２３の開閉に伴って衝撃エネルギが発生し、該分配管８内における燃料の脈動圧力が問題となる。
【００５３】
そこで、上記分配管８においては、幅が広い上記左側壁８１ｂと右側壁８１ｄが可撓性を有する減衰壁としての役割を果たす。すなわち、上記各インジェクタ２３の開閉時に発生した燃料の反射を上記左側壁８１ｂ又は右側壁８１ｄがその可撓性によって吸収し、燃料の脈動を緩衝する。
【００５４】
上記燃料供給ホース１２は、その一端部が上記燃料供給接続部８４に接続され、他端部が車体側に固定された燃料供給管１３に接続されている。また、その中間部分はＳ字状に湾曲して配置されており、上記燃料供給接続部８４と燃料供給管１３との間は、長さにゆとりを持った上記燃料供給ホース１２によって連結されている。上記燃料供給管１３は車両後方の燃料タンク（図示省略）へとつながっており、この燃料タンクから上記分配管８に燃料が供給される。
【００５５】
ところで、車両が衝突した際に、上記エンジンルーム１内において上記エンジン２前方のエアクリーナ４やバッテリ６等のエンジン機能部品が後退変位したときには、該エンジン機能部品がエンジン２前端部と干渉する虞がある。あるいは、エンジン２自身が後退変位したときには、該エンジン２の後端部後方のダッシュパネル１１と干渉する虞がある。該エンジン２にはその側方に上記分配管８が併設されており、該分配管８の両端壁８１ｅ、８１ｅはエンジン２の前端部又は後端部近傍に位置している。そのため、かかる場合には、上記分配管８の前端壁８１ｅ又は後端壁８１ｅも、上記エンジン機能部品又はダッシュパネル１１と干渉する虞がある。
【００５６】
上記分配管８は、燃料供給接続部８４を該分配管８の端壁８１ｅではなく、側壁である左側壁８１ｂ上に設けているため、車両の衝突によってエンジン２の端部がエアクリーナ４等のエンジン機能部品又はダッシュパネル１１と干渉したとしても、上記燃料供給接続部８４には何ら影響がない。これによって、車両衝突時における燃料系に起因する２次災害の発生を確実に防止することができる。
【００５７】
また、上記の構成においては、上記燃料供給接続部８４が上記分配管８の脈動減衰機能を有する左側壁８１ｂ（以下、「減衰壁８１ｂ」という。）に配設されている。この減衰壁８１ｂは壁の可撓性によって燃料の脈動を吸収しており、その減衰機能を低下させないためには、該減衰壁８１ｂに部材又は部品等を配設しないことが好ましい。しかし、上記燃料供給接続部８４を上記減衰壁８１ｂであっても、その長手方向の中央よりも前側に配設することによって該減衰壁８１ｂの減衰機能の低下を防止している。すなわち、上記減衰壁８１ｂの減衰機能は、その壁の中心付近で最大となり、端壁８１ｅ、８１ｅ、に近づくほど壁が拘束されて、その可撓性が弱くなっている。したがって、上記燃料供給接続部８４を減衰壁８１ｂの中心付近から長手方向にオフセットさせ、前端側に配置することによって、該減衰壁８１ｂの可撓性を抑制せず、減衰機能を低下させることはない。
【００５８】
さらに、上記減衰壁８１ｂの高さ方向についても、燃料供給接続部８４を中心からオフセットさせ、上方側に配置することによって、該減衰壁８１ｂの減衰機能の低下をさらに防止している。
【００５９】
そして、上記燃料供給接続部８４を左側壁８１ｂに配置したことによって、上記上壁８１ｃは部品が配置されない。このため、ハーネス１４等を上記支持ブラケット８５、８５を用いて支持することができ、上記分配管８上方の空間を有効に活用してハーネス１４等を配置することができる。
【００６０】
また、上記燃料供給接続部８４は、上記分配管の第１分岐嵌着部８２ａと第２分岐嵌着部８２ｂとの間に配設されているため、上記インジェクタ２３からの燃料の反射が上記燃料供給ホース１２に直接入ることを防止するとともに、上記燃料供給ホース１２から分配管８に供給された燃料が特定の分岐嵌着部、例えば第１分岐嵌着部８２ａに集中的に分配されることを防止することができる。したがって、上記供給ホース１２から分配管８へ安定して燃料を供給できるとともに、各インジェクタ２３への燃料供給量のばらつきを抑えることができる。
【００６１】
尚、本発明は上記の実施形態に限定されるものではなく、その他の種々の実施形態を包含するものである。すなわち、上記の実施形態では４気筒のエンジン２が対象であったが、４気筒でなくとも、多気筒であって、複数のインジェクタ２３に燃料を分配する分配管がエンジンの気筒列方向と略平行に配設されるエンジンであればよい。
【００６２】
また、上記の実施形態においては、分配管８の断面形状は略長方形であったが、減衰壁を有していれば、断面形状は三角形であっても、楕円形であってもよい。
【図面の簡単な説明】
【００６３】
【図１】本発明の実施形態に係る車両におけるエンジンの燃料供給装置の平面図を示したものである。
【図２】インジェクタを嵌着した分配管の正面図を示したものである。
【図３】インジェクタを嵌着した分配管の側面図を示したものである。
【符号の説明】
【００６４】
１      エンジンルーム
１１    ダッシュパネル
１１ａ  エンジン配設凹部（凹部）
１２    燃料供給ホース
１３    燃料供給管（供給管）
２      エンジン
２１    気筒
２３    インジェクタ
８      分配管
８１ｂ  左側壁（減衰壁）
８１ｄ  右側壁（減衰壁）
８２ａ  第１気筒用分岐嵌着部
８２ｂ  第２気筒用分岐嵌着部
８４    燃料供給接続部
Ｘ      前輪の車軸
【図１】
2005201124.tif 000003
【図２】
2005201124.tif 000004
【図３】
2005201124.tif 000005